(57)【要約】【課題】  中間転写体上にフィルミングが発生する不具合やブレードのエッジ部の捲れ等を極力防止し得る画像形成装置を提供すること。【解決手段】  複数の像担持体と、それぞれの像担持体上に互いに異なった色のトナー画像を形成すべく設けた、カラートナーを含む現像剤を収容してなる複数の現像装置とを有し、像担持体上に形成したそれぞれのカラートナー画像を中間転写体上で重ね合わせた後に、中間転写体から記録材上に転写せしめ、かつ、転写後の中間転写体を、ブレードからなるクリーニング手段でクリーニングする構成の画像形成装置において、通常のカラー画像形成モードの他に、前記複数の現像装置のうち、滑剤の添加量が少ないトナーを含む現像装置を作動せしめ、当該滑剤の添加量が少ないトナーを、前記中間転写体を介して前記ブレードに供給する調整モードを有することを特徴とする画像形成装置。【選択図】        図３
2005181372.tif 000002
【特許請求の範囲】
【請求項１】
複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
通常のカラー画像形成モードの他に、前記複数の現像装置のうち、滑剤の添加量が少ないトナーを含む現像装置を作動せしめ、当該滑剤の添加量が少ないトナーを、前記中間転写体を介して前記ブレードに供給する調整モードを有することを特徴とする画像形成装置。
【請求項２】
前記調整モードは操作パネルから選択されることを特徴とする請求項１に記載の画像形成装置。
【請求項３】
複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
前記中間転写体の表面状態を検出手段で検出し、その検出結果に応じて、前記複数の現像装置のうち、滑剤の添加量が少ないトナーを含む現像装置を作動せしめ、当該滑剤の添加量が少ないトナーを、前記中間転写体を介して前記ブレードに供給するように構成したことを特徴とする画像形成装置。
【請求項４】
複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
画像形成数が所定数に達したときに、前記複数の現像装置のうち、滑剤の添加量が少ないトナーを含む現像装置を作動せしめ、当該滑剤の添加量が少ないトナーを、前記中間転写体を介して前記ブレードに供給するように構成したことを特徴とする画像形成装置。
【請求項５】
複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
前記中間転写体を駆動するモータに流れる電流をモニタし、電流に対するトルク値が所定値に達したときに、前記複数の現像装置のうち、滑剤の添加量が少ないトナーを含む現像装置を作動せしめ、当該滑剤の添加量が少ないトナーを、前記中間転写体を介して前記ブレードに供給するように構成したことを特徴とする画像形成装置。
【発明の詳細な説明】
【技術分野】
【０００１】
本発明は、カラー複写機、カラープリンタの如く、像担持体上に形成される静電荷潜像を電子写真法によりカラートナー像となす画像形成装置に関し、特に、複数の像担持体に形成した、互いに異なった色トナーの画像を中間転写体上で重ね合わせたのち、普通紙等の記録材上に転写する形式の画像形成装置に係わる。
【背景技術】
【０００２】
像担持体表面を帯電手段により一様に帯電し、原稿、または、画像データに基づいて露光手段を作動させて前記像担持体上に静電荷潜像（以下、単に潜像という）を形成し、次いで、カラートナー、又はカラートナーとキャリアとを含む二成分現像剤を現像領域に導き、接触、または、非接触現像により前記潜像をカラートナー像となした後、当該カラートナー像を中間転写体上に転写せしめ、このようなプロセスを、例えば、イエロー（Ｙ）、マゼンタ（Ｍ）、シアン（Ｃ）、黒（ＢＫ）トナーの順で行って各カラートナー像を前記中間転写体上で重ね合わせ、しかる後に普通紙紙からなる記録材上に転写し、定着手段により加熱加圧することによって前記記録材に定着させる電子写真方式を利用した画像形成装置はよく知られている。
【０００３】
また、前記中間転写体を無端状ベルトとして構成するとともに、当該中間転写体が１回転する間に上記の如きプロセスを完了する態様の画像形成装置も公知である。
【０００４】
前記の如き画像形成装置は、一般的に、転写領域通過後の像担持体の表面をクリーニングするクリーニング手段を有するとともに、記録材に対する転写工程を経た後（画像形成プロセスにおいて、転写領域を通過した後の意）の中間転写体の表面をクリーニングするクリーニング手段を有している。
【０００５】
クリーニング手段としては、ブレードからなるクリーニング手段が一般的であり、当該ブレードは前記中間転写体の回転方向に対して対向する方向（カウンタ方向）に設けられているのが普通である。
【０００６】
一方、現像剤を構成する前記トナーは顔料、ワックス、樹脂などからなる母体と、シリカやチタニア、酸化セリウムなどの研磨性粒子や、滑剤からなる外添剤とを含んでいる。
【０００７】
このようなトナーが、画像形成プロセス実行時において、転写工程通過後の中間転写体上に残留した場合、クリーニングブレード（以下、単にブレードとも言う）のエッジ部でクリーニングされ、中間転写体上から除去され、その一部は前記ブレードのエッジ部に付着する。
【０００８】
また、除去されたトナー、換言すると、前記付着トナーがブレードのエッジ部（以下、ブレードエッジ或いは単にエッジという場合がある）と中間転写体との隙間に入り込み、そこで保持されると、当該トナーに含まれる研磨剤が潤滑剤となって両者間の摩擦係数を下げる働きを行い、結果として、ブレード捲れの発生を抑制することができ、更に、良好なクリーニングを達成することができる。
【０００９】
しかしながら、ブレードエッジと中間転写体との間にトナーが存在する状態を長期にわたって存続させることは困難であり、また、残留したトナーに含まれているワックスや滑剤が部分的に中間転写体に付着してしまい、これらワックスや滑剤はブレードによってうまく除去されず、むしろ、ブレードの圧力で引き延ばされて中間転写体の進行方向に薄膜（フィルミング）を形成してしまうことがあった。
【００１０】
斯様なフィルミングが生じた中間転写体上の部分とブレードエッジ間の摩擦係数は、フィルミングのない部分における両者間の摩擦係数に比して大きくなり、結果、フィルミングのある部分に当接するブレード上のエッジ部に損傷を発生させ、当該部分においては、ワックスや滑剤が前にも増してすり抜けるようになって、更なるフィルミングの発生を加速させていた。
【００１１】
また、上述のようなクリーニング機能に寄与することができるトナーはブレードエッジに付着していることが必要であるが、例えば、画像形成が可能な中間転写体の幅（最大画像幅の意で、中間転写体の進行方向に対して直交する方向の長さ）に対して画像が半分の幅しかない画像形成を連続的に、或いは、大量に行ったような場合、画像が形成されない中間転写体上の幅方向における部分に対応したブレードエッジには極く僅かなトナーしか来ない。
【００１２】
従って、仮に、画像形成幅と略等しい長さを有するブレードのエッジ部に、当初は適量のトナーが溜まっていたとしても、非画像領域に対応したブレードのエッジ部にあったトナーはいち早く欠乏し、この結果、当該部分に対応したブレードのエッジ部と中間転写体との間の摩擦係数が上がって、前述したようにブレードのエッジ部が損傷を来たし、その部分をすり抜けたワックスや滑剤のフィルミングが発生した。
【００１３】
このようなフィルミングが中間転写体上に形成されると、その部分の抵抗が上昇し、転写処理が実施される際、フィルミング部分の転写性が悪くなり、記録材上では白すじとなって画質低下を招いてしまうという問題があった。
【００１４】
このような問題の対応ではないが、中間転写体（中間転写ベルト）上に重ね合わせのカラー画像を作成した後、記録材上に転写する方式の画像形成装置において、連続画像形成時、中間転写体とクリーニングブレードとの摩擦係数が上昇してブレードが捲れてしまう現象を抑制するために、例えば、所定の画像形成数毎に、いずれかの感光ドラムに形成したトナー画像を中間転写体上に転写し、当該トナー画像を記録材上に転写せずにクリーニングブレードに導いて、クリーニングブレードと中間転写体との間の摩擦を緩和させ、摩擦上昇によるブレードの捲れを防止する構成の画像形成装置が提案されている（例えば、特許文献１を参照。）。
【特許文献１】特開２００２−２４４３８６号公報（段落番号００５１〜００５６）
【発明の開示】
【発明が解決しようとする課題】
【００１５】
特許文献１に開示されている技術は、ブレードの捲れ防止対策として有用な技術であると思われるが、フィルミングの問題については配慮されていない。
【００１６】
本発明は、上述のような問題点に鑑みてなされたもので、主たる目的は、中間転写体上にフィルミングが発生する不具合を極力防止し、また、中間転写体上にフィルミングが形成された場合でも、当該フィルミングを容易に除去し、以て、形成画像が画質低下を来さないように配慮した画像形成装置を提供することにある。
【課題を解決するための手段】
【００１７】
本発明の目的は、下記の構成によって達成することができる。
【００１８】
（１）複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
通常のカラー画像形成モードの他に、前記複数の現像装置のうち、滑剤の添加量が少ないトナーを含む現像装置を作動せしめ、当該滑剤の添加量が少ないトナーを、前記中間転写体を介して前記ブレードに供給する調整モードを有することを特徴とする画像形成装置。
【００１９】
（２）前記調整モードは操作パネルから選択されることを特徴とする前記（１）に記載の画像形成装置。
【００２０】
（３）複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
前記中間転写体の表面状態を検出手段で検出し、その検出結果に応じて、前記複数の現像装置のうち、滑剤の添加量が少ないトナーを含む現像装置を作動せしめ、当該滑剤の添加量が少ないトナーを、前記中間転写体を介して前記ブレードに供給するように構成したことを特徴とする画像形成装置。
【００２１】
（４）複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
画像形成数が所定数に達したときに、前記複数の現像装置のうち、滑剤の添加量が少ないトナーを含む現像装置を作動せしめ、当該滑剤の添加量が少ないトナーを、前記中間転写体を介して前記ブレードに供給するように構成したことを特徴とする画像形成装置。
【００２２】
（５）複数の像担持体と、それぞれの前記像担持体上に互いに異なった色のトナー画像を形成すべく設けた、カラートナーを含む現像剤を収容してなる複数の現像装置とを有し、前記像担持体上に形成したそれぞれのカラートナー画像を中間転写体上で重ね合わせた後に、当該中間転写体から記録材上に転写せしめ、かつ、転写後の前記中間転写体を、ブレードからなるクリーニング手段でクリーニングする構成の画像形成装置において、
前記中間転写体を駆動するモータに流れる電流をモニタし、電流に対するトルク値が所定値に達したときに、前記複数の現像装置のうち、滑剤の添加量が少ないトナーを含む現像装置を作動せしめ、当該滑剤の添加量が少ないトナーを、前記中間転写体を介して前記ブレードに供給するように構成したことを特徴とする画像形成装置。
【発明の効果】
【００２３】
請求項１に係わる画像形成装置は、通常のカラー画像形成モードの他に、複数の現像装置のうち、滑剤の添加量が少ないトナーを含む現像装置を作動せしめ、当該滑剤の添加量が少ないトナーを、中間転写体を介して前記ブレードに供給する調整モードを有する構成としたので、中間転写体の表面におけるフィルミングの発生を極力防止することができ、また、中間転写体上における最大画像幅に対応したブレードの全長にわたってトナーを供給することができるので、ブレードのエッジ部の捲れをも抑制できる。
【００２４】
請求項２に係わる画像形成装置は、操作パネル上から前記調整モードを選択する構成としたので、環境条件の急変にも適切に対処することができ、また、操作性もよい。
【００２５】
請求項３に係わる画像形成装置は、中間転写体の表面状態を検出手段で検出し、その結果に応じて、自動的に装置を調整モードにして滑剤の添加量が少ないトナーを前記中間転写体を介して前記ブレードに供給することができる構成としたので、フィルミングの発生に対する予防ができ、又、中間転写体上における最大画像幅に対応したブレードの全長にわたってトナーを供給することができるので、ブレードのエッジ部の捲れも抑制できる。
【００２６】
請求項４に係わる画像形成装置は、画像形成枚数が所定数に達したとき、自動的に装置を調整モードにして滑剤の添加量が少ないトナーを前記中間転写体を介して前記ブレードに供給することができる構成としたので、フィルミングの発生を防止することができ、また、中間転写体上における最大画像幅に対応したブレードの全長にわたってトナーを供給することができるので、ブレードのエッジ部の捲れも抑制できる。
【００２７】
また、これは中間転写体上における最大画像形成幅に対して、例えば、Ａ４Ｒ、Ｂ４などの記録材が縦送り（記録材の搬送方向に対して記録材の長辺がおかれている態様）で使用されるとき、当該最大画像幅と記録材の通紙幅との間でできる幅方向の差（非通紙部と同義）に相当するブレードのエッジ部と中間転写体との間の摩擦係数の上昇の結果、ブレードエッジの捲れが発生する危険を防止、或いは抑制できる。
【００２８】
請求項５に係わる画像形成装置は、中間転写体の駆動用モータのトルクを測定、或いは、監視し、当該トルクが設定値に達したとき、或いは設定値を超えたとき、自動的に装置を調整モードにして滑剤の添加量が少ないトナーを前記中間転写体を介して前記ブレードに供給することができる構成としたので、フィルミングの発生に対する予防ができ、また、中間転写体上における最大画像幅に対応したブレードの全長にわたってトナーを供給することができるので、ブレードのエッジ部の捲れ現象をも抑制できる。
【００２９】
また、上記によりブレードと中間転写体との摩擦に基づく前記モータの負荷を減じ、画像プロセス実行時における中間転写体の速度を許容範囲に維持することができる。
【発明を実施するための最良の形態】
【００３０】
本発明に係わる実施の形態について、以下、図面を参照しながら説明する。
【００３１】
図１は、本発明に係わるデジタルカラー複写機からなる画像形成装置の第１の実施の形態を示す概略図である。
【００３２】
画像形成装置は、装置本体上部に自動原稿送り装置１を有するとともに、内部に画像読み取り部２、画像形成部３、中間転写体としての回転ベルトを含むベルトユニット４の設置部、給紙部５、定着装置Ｔ、反転排紙・再給紙部６、および、反転搬送手段であるＡＤＵ７を有している。
【００３３】
前記自動原稿送り装置１は、原稿を１枚ずつ送り出して画像読み取り位置へと搬送し、画像読み取りが終わった原稿を所定の場所に排出する装置である。
【００３４】
前記自動原稿送り装置１は、原稿を載置する原稿載置台１０１、載置された原稿を分離する原稿分離手段１０３、分離された原稿を搬送する原稿搬送部１０５、搬送された原稿を排紙する原稿排紙手段１０７、排紙された原稿を載置する原稿排紙台１０９、および、原稿の両面の画像を読み取る両面コピーモードにおいて、当該原稿の表裏面を反転させるべく使用されるローラ対からなる原稿反転手段１１１を有している。
【００３５】
処理プロセスがらみで述べるに、前記原稿載置台１０１上に載置された複数枚の原稿（不図示）は、原稿分離手段１０３によって１枚づつ分離され、前記原稿搬送部１０５を介して画像読み取り位置に向けて搬送される。
【００３６】
前記原稿読み取り位置は、前記原稿搬送部１０５の下方部に設けられており、そこで、画像読み取り装置２を構成するスリット２０１を介して、原稿の画像が読み取られ、読み取られた原稿は原稿排紙手段１０７によって原稿排紙台１０９上に排出される。
【００３７】
なお、両面コピーモードにおいては、片面が読み取られて搬送されてくる原稿は前記原稿反転手段１１１により二点鎖線の矢印で示す方向に搬送され、進行方向における後端を咬んでいる状態で当該原稿反転手段１１１の駆動が停止された後の逆方向回転により前記原稿搬送部１０５を介して再度、画像読み取り位置に導かれ、しかる後、前記原稿排紙手段１０７によって原稿排紙台１０９上に排出される。
【００３８】
上記の工程は、原稿載置台１０１上に載置された原稿の枚数分繰り返される。
【００３９】
前記画像読み取り装置２は、前記スリット２０１、原稿を照射するためのランプ２１３と原稿からの反射光を反射させる第１ミラー２１５とを一体化してなる第１ミラーユニット２０５、第１ミラー２１５からの光を反射させる第２ミラー２１７と第３ミラー２１９とを略Ｖ字状に一体化してなる第２ミラーユニット２０７と、当該第３ミラー２１９からの反射光を撮像素子上に結像させる結像レンズ２０９、および、結像レンズ２０９によって結像された光像を光電変換して画像情報を得るライン状の撮像素子（以下、ＣＣＤという）２１１を有している。
【００４０】
前記画像情報は、適宜の画像処理を施された後、一旦、図示しないメモリに蓄積されるようになっている。
【００４１】
前記自動原稿送り装置１によって送られている原稿を、画像読み取り装置２で読み取る態様においては、第１ミラーユニット２０５及び第２ミラーユニット２０７は、図示の如き位置に固定されている。
【００４２】
前記画像読み取り装置２によって読み取られた各色毎の画像信号はメモリより順次取り出され、静電荷潜像形成手段である各露光光学系にそれぞれ電気信号として入力される。
【００４３】
前記画像形成部３は色分解画像に応じたトナー像を形成するイエロー（Ｙ）、マゼンタ（Ｍ）、シアン（Ｃ）、黒（ＢＫ）の４組の画像形成手段（以下、画像形成ユニットという）３０を含む。
【００４４】
それぞれの画像形成ユニット３０は、例えば、有機光導電体を含有させたポリカーボネイトなどの樹脂よりなる感光層をドラム状の金属基体上に設けてなる像担持体（以下、感光体ドラムという）３１０、スコロトロン形式からなる帯電器３２０、画像書き込み手段である露光光学系３３０、静電荷潜像を顕像化する現像装置８、転写手段（一次転写手段）３４０、転写後の感光体ドラム３１０の表面をクリーニングするブレード（クリーニング手段）を含むクリーニング装置３５０を主要構成要素とする。
【００４５】
前記現像装置８は、磁性キャリア（以下、単にキャリアという）と非磁性トナー（以下、単にトナーという）とを含む二成分現像剤を内蔵し、また、位置固定であって周方向に複数の磁極を配列せしめた磁石を内蔵する可回転、かつ、非磁性の円筒形状からなる現像剤担持体（現像スリーブ）等を有している。
【００４６】
現像装置８の基本的構成は周知であるので詳細な構成は省略する。
【００４７】
なお、前記露光光学系３３０はレーザ光学系で構成される露光ユニットであり、また、前記転写手段３４０は中間転写体４０１を介して前記感光体ドラム３１０の周面一部に対向している。
【００４８】
上述した４組の前記画像形成ユニットの機械的構成は基本的に同じであるので、参照符号は１組みのユニットについてのみ付し、他は省略することとする。
【００４９】
それぞれの画像形成ユニット３０は、ベルト設置部において縦方向に長く配設された、ベルトユニット４を構成するループ状の回転ベルト（以下、中間転写ベルトという）４０１の一平面（張設面）Ａに沿って、上から、イエロー（Ｙ）、マゼンタ（Ｍ）、シアン（Ｃ）、黒（ＢＫ）の順に配列されている。
【００５０】
前記中間転写ベルト４０１と、当該中間転写ベルトを回転可能に懸架する支持ローラ４０５、４０６、４０７、および、バックアップローラ４１０等がベルトユニット４を構成する。
【００５１】
前記中間転写ベルト４０１を挟んで前記バックアップローラと押圧しながら回転するように対向配置されているのは、転写ローラ５１０からなる二次転写手段である。
【００５２】
４１５は、転写領域（二次転写手段のある領域）を通過した中間転写ベルト４０１の表面をクリーニングするためのブレードで、中間転写ベルト４０１に対してカウンタ方向に設置され、少なくとも画像プロセス実施の間は、エッジ部が中間転写ベルト４０１の表面に接触するように構成してある。
【００５３】
前記ブレード４１５は、中間転写ベルト４０１上に形成される最大画像幅（進行方向に対して直交する方向における長さであり、例えば、Ｂ４の長辺に相当するサイズ）に相当する長さを有しており、また、エッジが、ほぼ全範囲において均等な圧力を以て前記中間転写ベルトに当接するように調整・保持されている。
【００５４】
上記の画像形成ユニット３０とベルトユニット４の構成とによる画像形成は次のようになされる。
【００５５】
画像形成プロセスの開始に伴って、反時計方向に回転する感光体ドラム３１０の表面は帯電器３２０により所定の極性に帯電される。
【００５６】
次いで、露光光学系３３０による第１の色信号、即ち、イエロー（Ｙ）の画像信号に対応する露光が施され、当該（Ｙ）の画像に対応する潜像が前記感光体ドラム３１０上に形成される。
【００５７】
前記潜像は現像装置８の現像剤による接触または非接触現像処理により反転現像されて（Ｙ）のトナー像に変換された後、転写手段３４０の作用によって中間転写ベルト４０１上に転写される。
【００５８】
第１の色信号による画像形成開始から所定の時間後に順次開始される他の色信号による画像形成は上記と同様のプロセスにより、マゼンタ（Ｍ）、シアン（Ｃ）、黒（ＢＫ）の各画像形成ユニットによって行われ、それぞれのトナー像が前記（Ｙ）のトナー像のある画像領域と重畳するように順次転写され、前記中間転写ベルト４０１上に重ね合わせのカラートナー像が形成される。
【００５９】
一方、転写処理終了後の前記感光体ドラム３１０の表面はクリーニング装置３５０で清掃され、新たな画像形成のための準備が整えられる。
【００６０】
なお、前記感光体ドラム３１０、あるいは、中間転写ベルト４０１に対する個々の画像形成プロセスの開始タイミングは、前記中間転写ベルト４０１の一方の側、本実施の形態においては外側であって、前記中間転写ベルトの回転方向に見て、前記転写ローラ５１０のある位置から１組目（イエロー）の画像形成ユニットが設けてある位置までの区間に付設したレジストセンサ４１３が、当該中間転写ベルト４０１に設けた、例えば、塗料を用いて形成した基準マークを検知した時を起点として計時を行い、所定時間経過毎に、順次、（Ｙ）、（Ｍ）、（Ｃ）、（ＢＫ）プロセスを開始させるように構成してある。
【００６１】
前記レジストセンサ４１３による検知信号を取り込み、計時を監視するとともに、個々のプロセス等に関する制御はコンピュータを含む制御部（制御手段）Ｓで行う。
【００６２】
次に、中間転写ベルト上に形成されたカラートナー像が、例えば、普通紙からなる記録材（以下、便宜上、用紙という）Ｐに転写され、装置外に排紙されるまでの工程に絡めて、装置のその他の構成につき簡単に述べる。
【００６３】
前記中間転写ベルト４０１上における画像形成に対応した適宜のタイミングで、用紙Ｐが給紙部５の送り出し部５０１（５１１、５２１）に位置する給紙ローラ５０３（５１３、５２３）によって給紙され、レジストローラ５５１に向けて搬送される。
【００６４】
しかる後、前記用紙Ｐは、前記レジストローラ５５１の回転再開によって前記中間転写ベルト４０１上のカラートナー像領域と重畳するように再給紙され、二次転写部において前記バックアップローラ４１０と前記転写ローラ５１０とにより前記中間転写ベルトとともに押圧挟持されながらニップ部から送り出され、この間に、前記中間転写ベルト４０１上に担持（形成）されたカラートナー画像が前記用紙Ｐ上に転写される。
【００６５】
なお、転写に際しては、前記転写ローラ５１０と前記バックアップローラ４１０との間に適宜の転写バイアス電圧を印加するように構成することが望ましい。
【００６６】
トナー像が転写された前記用紙Ｐは、例えば、不図示の分離爪の作用を受けながら前記中間転写ベルト４０１から分離され、定着装置Ｔに向けて搬送される。
【００６７】
前記定着装置Ｔは定着ヒータを内蔵する定着ローラＴ１と、当該定着ローラと圧接しながら回転する圧着ローラＴ２とを有し、画像を形成しているカラートナーは、両ローラによる加熱・加圧により溶融され、用紙Ｐ上に定着される。
【００６８】
定着装置Ｔによる定着処理終了後の用紙Ｐは、その下流に設けてある排紙ローラ６０３により搬送され、装置本体外に設けてある排紙トレイ上に排出される。
【００６９】
一方、二次転写終了後の前記中間転写ベルト４０１の表面はブレード４１５からなるクリーニング手段によってクリーニングされ、新たなトナー像を担持する準備がなされる。
【００７０】
なお、現像処理により各現像剤中のトナーが消費されるが、これは、各現像装置８の適宜の場所にトナー濃度検知センサを設けておき、当該センサからの情報に基づいて前記現像装置内にトナーを供給するようになっており、公知技術で対応できる。
【００７１】
また、図において、通路切替部材６０１の実線位置は定着処理後に用紙Ｐの上下面を反転させて排出する場合に保持される位置であり、破線位置は、上述の如く、定着装置から送り出された用紙をそのまま排出する際に保持される位置である。
【００７２】
例えば、用紙Ｐの反転排出においては、前記定着装置Ｔから送り出された用紙Ｐは前記通路切替部材６０１の右側の辺に沿って下方に案内され、ローラ対６０２によって進行方向における後端が挟持された状態とされた後の当該ローラ対６０２の逆回転により上昇され、前記切替部材６０１の左側の辺を通って前記排紙ローラ６０３に達し、かつ、当該排紙ローラで排出されるように規制される。
【００７３】
更に、前記ＡＤＵ７を用いる両面コピーモードの場合の用紙Ｐの挙動は、反転排出の場合と同様に、片面に画像が形成された定着処理後の用紙Ｐを前記切替部材６０１の右側の辺に沿って下方に導き、進行方向における用紙Ｐの後端をローラ対６０５により挟持した状態で搬送停止せしめた後、当該ローラ対６０５を逆回転せしめ、ガイド板Ｇに沿って上昇させ、複数のローラ対７０１、７０３、７０５を有するＡＤＵ７に導く事で用紙Ｐの反転を達成する。
【００７４】
用紙Ｐの第２面に対する画像形成プロセスは前述と同じであり、前記定着装置Ｔから送り出された後の排出については前述した何れかを選択することになる。
【００７５】
図において、前記画像読み取り装置２の上部に参照符号２５０で示されるのは操作パネルで、模式的な平面図で示す図２から明らかなように、画像形成枚数（プリント枚数の意）を設定するためのテンキー２５１、記録開始のためのスタートボタン２５２とともに、画像モードを通常の画像形成モードから調整モードに切り換えるスイッチ手段（選択手段）２５３等を含む。２５５は液晶表示部で、濃度設定、倍率設定等を行うことができ、積層表示式のタッチパネルとして構成してある。
【００７６】
ここで、通常の画像形成モードとは、感光体ドラム３１０上に形成したトナー像を、前記中間転写ベルト４０１を介して用紙Ｐ上に転写形成するモードであり、調整モードとは、感光体ドラム３１０上に、所定の現像装置（外添剤として滑剤が添加され、当該滑剤の添加量が少ないトナーを含む現像装置）を選択的に使用して形成したトナー画像或いはトナーパターンを用紙Ｐ上に転写することなく、前記中間転写ベルトを介してブレード４１５に供給するモードをいう。
【００７７】
調整モードにおける前述の如きトナーは、ブレードの全長、換言すれば、中間転写ベルト上の最大画像幅に対応する幅をにわたって供給される。
【００７８】
調整モードの選択により所定のトナーがブレードに供給されると、大半のトナーは当該ブレードによりクリーニングされて、クリーニング装置の下部に形成されている収納部に収納されるが、一部のトナーはブレードエッジに付着し、保持され、中間転写ベルトの表面に押圧される。
【００７９】
前記トナーが中間転写ベルトの表面に押しつけられると、ベルト表面のクリーニング性能が高まり、故に、例えば、ブレードのエッジ捲れに起因して中間転写ベルト上にフィルミングが形成されている場合でも、そのフィルミング層を容易に取り除くことができ、高画質画像形成が可能な状態に中間転写ベルトの表面を維持することができる。
【００８０】
また、中間転写ベルト表面上に、まだフィルミングが形成されていない場合に調整モードが選択され、所定のトナーがブレードに供給された場合、フィルミング形成の予防或いは抑制ができる。
【００８１】
ここで、調整モードにおいて選択される現像装置とは、トナーの外添剤として添加される滑剤の量が少ないトナーを収納した現像装置であり、そのような滑剤が少ないトナーをブレードに供給することにより、上述の如くの良好なフィルミング対策とすることができる。
【００８２】
即ち、外添剤としては、通常、流動性の改良等を目的として、例えば、シリカ、チタニア、チタン酸ストロンチウム、酸化セリウム、アルミナ微粒子のような無機微粒子や、走査型電子顕微鏡にて観察される数平均一次粒子径が１０〜２０００ｎｍの球形の有機微粒子、例えば、スチレンやメチルメタクリレートなどの単独重合体、或いは、共重合体を添加することができ、これら微粒子（研磨性粒子）による研磨効果を利用して中間転写ベルトの表面を研磨することにより、前述の如き効果が得られる。
【００８３】
また、例えば、ステアリン酸亜鉛やステアリン酸カルシウムの如き滑剤も外添剤として添加される。
【００８４】
上述のように調整モードを設けることにより、プリントアウトされる画像を見て、適宜に調整モードを実行することができ、かつ、不意に画像上で不具合がでても迅速な対応がとれるので便利がよい。
【００８５】
例えば、最大画像幅に対して小さい幅の画像作成を多量に作成した後、最大画像幅の画像を作成したとき、それまで非画像部であった領域におけるブレードエッジと中間転写ベルトとの摩擦係数が上昇してエッジに捲れが発生しているときには、前記のようなフィルミング等が生じ易いが、このような場合の即時対応が可能である。
【００８６】
またエッジ捲れが発生してしまっても、調整モードによるトナーの供給量を多くすることにより、フィルミングに係わる悪影響を抑制することができる。
【００８７】
なお、前記切り換えスイッチ２５３の操作に伴う指令は優先的に処理され、例えば、当該指令が出されたときに画像形成が途中であれば、その画像形成が終了した後、すぐに実行すべく、前記制御部Ｓで制御することができるように構成することが望ましい。
【００８８】
次に、図１の如くの基本的構成を有する画像形成装置において、本発明に係わる第２の実施の形態を図３の模式的説明図に従って説明する。
【００８９】
即ち、中間転写ベルト４０１の進行方向において、用紙Ｐに対する転写領域よりも下流であって、ブレード４１５よりも上流の適宜の位置に、ベルトの表面状態を検出するための検出手段４５０を設置しておき、その反射率を電圧値に変換して（ＳＴ１）基準値（閾値）と比較し（ＳＴ２）、前記閾値に達したとき、或いは、当該閾値を超えたときに、制御部Ｓを介して自動的に調整モードに切り換える（ＳＴ３）。
【００９０】
画像形成途中である場合、その画像形成が終了してから調整モードを実行し（ＳＴ４）、画像或いはパターンとして感光体ドラム３１０上に形成してなるトナーを中間転写ベルト４０１を介してブレード４１５に供給する。
【００９１】
調整モード中において、前記検出手段による検出値（実際には、出力を変換することにより得られた電圧値）が閾値未満になったら（ＳＴ５）調整モードを終了する。
【００９２】
調整モードにおけるトナー画像或いはトナーパターンの形成からブレードへの供給、及び、結果として奏せられる効果は実質的に第１の実施の形態におけると同様である。
【００９３】
また、第２の実施の形態においては、自動的に調整モードに移行するので、操作性が向上する。
【００９４】
なお、前記検出手段４５０は、発光手段と受光手段とを一体化してなるが、別体としてもよい。
【００９５】
次に、図１の基本的構成を有する画像形成装置において、本発明に係わる第３の実施の形態を図４のフローチャートに従って説明する。
【００９６】
画像形成数をカウンタ手段でカウントし（ＳＴ１０）、画像形成数が基準値（設定値）以上になったか否かを比較判断し（ＳＴ１１）、ＮＯなら監視を継続、ＹＥＳなら調整モードに切り換えるための信号を制御部に送り（ＳＴ１３）、調整モードを実行させ（ＳＴ１４）、調整モードを終了したらカウンタをリセットして、次の調整モードのための準備をする。
【００９７】
この場合の基準値や調整モード実行回数（トナー供給回数の意）は実験により決定することができ、ＲＯＭに記憶させておいて実行時に読み出して利用すればよい。
【００９８】
当該第３の実施の形態における調整モード実行時のトナー画像或いはトナーパターンの形成からブレードへの供給の構成は実質的に第１の実施の形態におけると同様であり、また、奏せられる効果は前記第２の実施の形態のそれと実質的に同じである。
【００９９】
更に、本発明に係わる第４の実施の形態においては、支持ローラ４０７を中間転写ベルトの駆動ローラとして使用し、当該支持ローラの軸に機械的に結合する駆動用のモータに流れる電流をモニタし、電流に対するトルク値が所定値に達したときに、或いはそれを超えたときに、画像形成装置のモードを自動的に調整モードに切り換え、縷々説明の如くのプロセスを実行することにより、前記した各実施の形態と同様に、フィルミングの発生を極力防止したり、発生したフィルミングを除去し、或いは、ブレードの捲の防止、或いはブレードの捲れが多少発生しても、画質の低下を極力抑制することができる。
【０１００】
以上において、滑剤の少ないトナーにより作成する画像或いはパターン（ベタ画像）の幅サイズは最大画像幅と同等またはそれよりも大きいサイズであり、さらに、ブレードの幅方向に対するトナーの供給量は、種々の仕様に応じた最適な条件を実験により求めることができる。
【０１０１】
また、調整モードにおいてトナーが消費されたことによる現像剤中のトナー濃度の補正は、公知のトナー濃度制御方法を用いることにより対応できる。
【０１０２】
なお、画像形成に係わる各色トナーとしては、高画質化、クリーニング性能の向上等から重合法により製造したトナー、特に、乳化重合法により製造したトナーを用いることが望ましい。
【０１０３】
製造工程は、乳化重合を行い樹脂粒子を調製する乳化重合工程、前記樹脂粒子分散液に着色粒子分散液などを添加した後に塩析／融着させてトナー粒子とする塩析／融着工程、得られたトナー粒子を水中より濾過し界面活性剤などを除去する洗浄工程、得られたトナー粒子を乾燥する乾燥工程、更に、乾燥後のトナーを必要に応じて解砕処理する解砕工程、外添剤を添加する外添剤添加工程などから構成される。
【０１０４】
材料に関して、重合性単量体としては、例えば、芳香族系ビニル単量体、（メタ）アクリル酸エステル系単量体、ビニルエステル系単量体、ビニルエーテル系単量体、モノオレフィン系単量体、ジオレフィン系単量体、ハロゲン化オレフィン系単量体等のラジカル重合性単量体を必須の構成成分とし、必要にオッジ手架橋剤を使用することができる。
【０１０５】
また、酸性基を有するラジカル重合単量体または塩基性基を有するラジカル重合性単量体を用いることができる。
【０１０６】
トナーの特性改良のための架橋剤としては、例えばジビニルベンゼン、ジビニルナフタレン、ジビニルエーテル、ジエチレングリコールメタクリレート、エチレングリコールジメタクリレート、ポリエチレングリコールジメタクリレート、フタル酸ジアリル等の不飽和結合を２個以上有するものが挙げられる。
【０１０７】
ラジカル重合合開始剤としては水溶性であれば適宜使用が可能であり、例えば、過硫酸カリウム、４，４′−アゾビス４−シアノ吉草酸及びその塩、アゾビスイソブチルアミド２塩酸塩等が挙げられる。
【０１０８】
界面活性剤について、イオン性界面活性剤としては、スルホン酸塩（ドデシルベンゼンスルホン酸ナトリウム、ポリオキシエチレンベンゼンスルホン酸ナトリウムなど）、硫酸エステル塩（ドデシル硫酸ナトリウム、テトラデシル硫酸ナトリウム、ペンタデシル硫酸ナトリウム、オクチル硫酸ナトリウムなど）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなど）などが挙げられ、また、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステル等のノニオン性界面活性剤も使用することができる。
【０１０９】
着色剤としては無機顔料、有機顔料を挙げることができる。
【０１１０】
具体的な無機顔料として、黒色の顔料としては、例えば、ファーネスブラック、チャンネルブラック、アセチレンブラック、サーマルブラック、ランプブラック等のカーボンブラック、更にマグネタイト、フェライト等の磁性粉も用いられる。
【０１１１】
これらの無機顔料は所望に応じて単独または複数を選択併用する事が可能である。
【０１１２】
磁性トナーとして使用する際には、前述のマグネタイトを添加することができる。
【０１１３】
また、具体的な有機顔料を以下に例示する。
【０１１４】
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１１５】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８等が挙げられる。
【０１１６】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【０１１７】
これらの有機顔料は所望に応じて単独または複数を選択併用する事が可能である。
【０１１８】
上記の他に、トナーの流動性或いはクリーニング性を向上せしめる目的で、外添剤を添加して使用することができる。
【０１１９】
これら外添剤としては特に限定されるものでは無く、種々の無機微粒子、有機微粒子あるいは滑剤を使用することができる。
【０１２０】
無機微粒子としては、従来公知のものを使用することができ、例えば、シリカ、チタニア、チタン酸ストロンチウム、酸化セリウム、アルミナ微粒子等が好ましく用いることができる。
【０１２１】
滑剤としては、例えば、ステアリン酸の亜鉛、ステアリン酸カルシウム、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウムなどの塩等の高級脂肪酸の金属塩が挙げられる。
【０１２２】
これら外添剤（添加剤）の添加量あるいは種類は、帯電性能や環境安定性、耐久性等を考慮して決定されるが、その際、各色の顔料特性が異なるために、外添剤種や量を合わせ込んだ結果で決定しており、添加量は各色トナーによって異なるのが通常である。
【０１２３】
本発明に係わる乳化重合トナーにはステアリン酸亜鉛が外添剤として添加されている。
【０１２４】
トナーに対する添加量はマゼンタとシアンについては零、イエローについては０．１５質量％、黒については０．０５質量％とした。
【０１２５】
また、磁性キャリヤとして、樹脂分散型キャリヤが好適であるが、鉄、フェライト、マグネタイト等の金属等、公知の材料が使用でき、本発明に係わるキャリヤとしてはフェライト粒子を用いた。
【０１２６】
更に、前記中間転写ベルトは、ポリイミド樹脂を主成分として形成したシームレス半導電樹脂ベルト（表面抵抗率：１×１０11Ω／□、体積抵抗率：１×１０8Ω・ｃｍ）として構成した。
【０１２７】
また、ブレードは、厚さ２ｍｍ、幅３４０ｍｍ、自由長（ｈ）：９ｍｍとした矩形のウレタン樹脂で構成し、中間転写ベルトに対してカウンタ方向、かつ、中間転写ベルトと接触するコーナーエッジとのなす角度（当接角）を鋭角として位置づけた。
【０１２８】
当接角は、１０度乃至３０度の範囲が好ましく、１５度乃至２０度であることがより好ましく、１０度未満だとトナーの掃き残しが発生し、また、３０度を超えるとブレード捲れ（ブレード先端部がカウンタ方向から、中間転写ベルトの移動方向と同方向にもっていかれた状態）が発生しやすくなるので好ましくない。
【０１２９】
なお、前記した自由長（ｈ）とは、ブレードの１長辺を保持部材で保持した保持部先端部からブレードの他の長辺端までの長さを指す。
【０１３０】
また、上記の滑剤の添加量、中間転写ベルトの表面抵抗率、ブレードのサイズ、或いは、設置角度（当接角）等は種々の条件によって適宜に決定できるものである。
【実施例】
【０１３１】
（実施例１）
「画像形成装置」
図１の構成を有するカラー複写機（Ｋｏｎｉｃａ  ８０５０を改良して作製した）を用いた。
【０１３２】
主な条件は下記の通りである。
【０１３３】
・プロセス速度（Ｖ）：２２０ｍｍ／ｓｅｃ
感光体ドラム：径６０ｍｍ、有機半導体層として、フタロシアニン顔料をポリカーボネ    イトに分散させたものを基体上に塗布して形成した。電荷輸送層を含めた感光体層の    膜厚２５μｍ
露光：レーザ走査方式、半導体レーザ（ＬＤ）パワー３００μＷ
現像：二成分現像方式
中間転写ベルト：シームレス半導電樹脂ベルト
（材質ポリイミド、表面抵抗率１×１０11Ω／□、体積抵抗率１×１０8Ω・ｃｍ）
中間転写ベルトのテンション：５０Ｎ
一次転写手段：径が２０ｍｍの導電性発泡ローラ、温湿度とカウンタでマトリックスを    組んだ電流値テーブルから所定の電流値を選択し、印加する。
【０１３４】
一次転写手段の押圧：５Ｎ
二次転写手段：可回転のバックアップローラに中間転写ベルトを押圧するローラからな    る（バックアップローラと二次転写ローラの抵抗値はともに１×１０7Ω）。
【０１３５】
温湿度とカウンタでマトリックスを組んだ電流値テーブルから所定の電流値を選択し    、印加する。
【０１３６】
中間転写ベルト用のクリーニングブレード：ウレタン樹脂からなる。
【０１３７】
自由長９ｍｍ、厚さ２ｍｍ、幅３４０ｍｍ、当接角度１７度
「現像剤」
キャリヤ：フェライト
トナー：乳化重合法により製造した重合トナー（Ｙ、Ｍ、Ｃ、ＢＫ）、平均粒径６．５    μｍ、流動性及びクリーニング性向上目的で、外添剤としてシリカ、チタニアの他に    、滑剤としてステアリン酸亜鉛を添加。
【０１３８】
滑剤添加量（イエロートナーは０．１５質量％、マゼンタトナー及びシアントナーは                零、黒トナーは０．０５質量％）
上記の如き構成の画像形成装置と現像剤を用い、Ａ４サイズの用紙Ｐを横送りし、５枚の連続画像形成を繰り返す、５枚間欠の１０万コピーのテストを行った。
【０１３９】
原稿としては、各色５％の印字率を有する文字チャートを使用した。
【０１４０】
白すじ発生の有無を調べるために、１万枚コピー毎にＡ３サイズ（画像幅がＡ４サイズの長辺長さ、ベルトの進行方向におけるサイズがＡ３の長辺長さ）の全面ハーフトーン画像（Ｂ、Ｇ、Ｒ、３色ＢＫ、ＰＷＭ２０％）を計４枚出力した。
【０１４１】
ここで、Ｂ画像はマゼンタ（Ｍ）トナーとシアン（Ｃ）トナー、Ｇ画像はイエロー（Ｙ）トナーとシアン（Ｃ）トナー、Ｒ画像はイエロー（Ｙ）トナーとマゼンタ（Ｍ）トナー、３色ＢＫ画像は前記Ｙ、Ｍ、Ｃ、の３色トナーにより、それぞれ重ね合わせで作製される。
以下に述べる調整モードにおけるトナー供給直後にも同様に出力し、トナー供給の効果を調べた。
【０１４２】
調整モードは、マゼンタトナー、及び、シアントナーによるＡ３サイズ全面のハーフトーン画像（ＰＷＭ２０％）を各１０枚作製し、二次転写手段は圧着解除しておいて、前記画像を形成するトナーをブレードに全量供給した。ブレードの幅方向における単位長さ当たりの供給量は約０．３ｇ／ｃｍである。
【０１４３】
結果を表１に示す。
（実施例２）
実施例１と同じ画像形成装置を用いるとともに、二次転写部とブレードとの間に、ベルト表面検知センサ（拡散反射型、コニカ電子社製）を設置し、トナーのないベルト表面の反射率を測定して、出力値が予め測定した範囲外（２．５ボルト以上）となったときに、後に述べるＭ、Ｃ画像形成におけるトナーをブレードに供給するようにした。ベルト表面状態の検知頻度は規定枚数毎、ここでは、５００コピー毎に行った。
【０１４４】
前記ベルト表面検知センサは中間転写ベルトの幅方向に移動（８０ｍｍ／ｓｅｃ）し、ベルト全幅の表面状態を検知するようにした。
【０１４５】
なお、現像剤、及び、コピーの形態も実施例１と同様である。
【０１４６】
即ち、Ａ４サイズの用紙Ｐを横送りし、５枚の連続画像形成を繰り返す、５枚間欠の１０万コピーのテストを行った。
【０１４７】
原稿としては、各色５％の印字率を有する文字チャートを使用。
【０１４８】
中間転写ベルト表面のセンサ検知の結果が２．５ボルトを超えたときに、画像形成モードを調整モードに切り換え、実施例１の場合と同様に、マゼンタ、及び、シアントナーによる全面ハーフトーン画像（ＰＷＭ２０％）を各１０枚作製し、二次転写手段は圧着解除しておいて、前記画像を形成するトナーをブレードに全量供給した。
【０１４９】
ブレードの幅方向における単位長さ当たりの供給量は約０．３ｇ／ｃｍである。
【０１５０】
また、１万枚コピー毎にＡ３サイズの全面ハーフトーン画像（Ｂ、Ｇ、Ｒ、３色ＢＫ、ＰＷＭ２０％）を出力し、白すじの発生状況を調べた。
【０１５１】
結果を表１に示す。
（実施例３）
中間転写ベルト上の最大画像幅（Ａ４サイズの長辺に対応）に対して、それ以下のサイズが選択使用される画像形成モードにおいて、５００コピー毎にマゼンタ、及び、シアントナーによる全面ハーフトーン画像（ＰＷＭ２０％）を各１０枚作製し、二次転写手段は圧着解除しておいて、前記画像を形成するトナーをブレードに供給した。
【０１５２】
ブレードの幅方向における単位長さ当たりの供給量は約０．３ｇ／ｃｍである。
【０１５３】
１万枚コピー毎にマゼンタ、及び、シアントナーによるＡ３サイズの全面ハーフトーン画像を各１０枚作製し、そのトナーを前記ブレードに全量供給するようにした。
【０１５４】
なお、現像剤、及び、コピーの形態も実施例１とほぼ同様である。
【０１５５】
即ち、Ａ４サイズの用紙Ｐを縦送りし、５枚の連続画像形成を繰り返す、５枚間欠の１０万コピーのテストを行った。
【０１５６】
原稿としては、各色５％の印字率を有する文字チャートを使用。
【０１５７】
そして、１万枚コピー毎にＡ３サイズの全面ハーフトーン画像（Ｂ、Ｇ、Ｒ、３色ＢＫ、ＰＷＭ２０％）を出力し、白すじの発生状況を調べた。
【０１５８】
結果を表１に示す。
（実施例４）
中間転写ベルトを駆動するＤＣブラシレスモータのモータ電流をモニタし、電流値に対するトルクが予め設定した値（閾値或いは基準値の意で、ここでは３ｋｇ・ｃｍ）以上になったとき、調整モードであるマゼンタ、及び、シアントナーによる全面ハーフトーン画像を各１０枚作製し、二次転写手段は圧着解除しておいて、前記画像を形成するトナーをブレードに全量供給するようにした。
【０１５９】
ランニングは、Ａ４サイズの用紙Ｐを横送りし、５枚の連続画像形成を繰り返す、５枚間欠の１０万コピーのテストを行った。
【０１６０】
原稿としては、各色５％の印字率を有する文字チャートを使用した。
【０１６１】
ブレードの幅方向における単位長さ当たりの供給量は約０．３ｇ／ｃｍである。
【０１６２】
また、１万枚コピー毎にＡ３サイズの全面ハーフトーン画像（Ｂ、Ｇ、Ｒ、３色ＢＫ、ＰＷＭ２０％）を出力し、白すじの発生状況を調べた。
【０１６３】
結果を表１に示す。
（比較例１）
実施例に掲げる画像形成装置と現像剤を用いるとともに、Ａ４サイズの用紙を５枚間欠で横送りし、５枚の連続画像形成を繰り返す、５枚間欠の１０万コピーのテストを行った。但し、調整モードはない。
【０１６４】
原稿としては、各色５％の印字率を有する文字チャートを使用。
【０１６５】
１万枚コピー毎にＡ３サイズのハーフトーン画像を出力し、白すじを調べた結果、表１に示すように多数の白すじが認められた。
【０１６６】
また、中間転写ベルト上の同じ位置にフィルミングが発生した。
（比較例２）
実施例３に対応する比較例であり、実施例に掲げる画像形成装置と現像剤を用いるとともに、Ａ４の用紙を縦送りし、５枚の連続画像形成を繰り返す、５枚間欠の１０万コピーのテストを行った。
【０１６７】
但し、調整モードはない。原稿としては、各色５％の印字率を有する文字チャートを使用。
【０１６８】
表１に示すように、多数の白すじの発生と、中間転写ベルト上における対応位置にフィルミングの発生が認められた。
【０１６９】
白すじは、特に、非通紙領域に多く、かつ、顕著に発生した。
【０１７０】
【表１】
2005181372.tif 000003
【０１７１】
表１から明らかなように、実施例１においては、２万、５万、８万コピー時において出力画像に白すじが散見されたが、調整モードにおけるトナー供給により解消し、また、中間転写ベルト上のすじ状のフィルミングも解消し得、画質低下のない画像を得ることができた。
【０１７２】
また、実施例２乃至実施例４においては、出力画像に白すじが認められなかった。
【０１７３】
これらは、調整モードの存在が、フィルミング発生の予防、或いは、抑制に有用であり、また、ブレード捲れ（エッジ捲れ）現象の発生を予防、或いは、抑制していることを意味する。
【０１７４】
また、多少のブレード捲れが生じた場合であっても、その程度に応じて滑剤の添加量が少ないトナーの供給量を適宜に増大することにより、画質低下の抑制ができることが究明されている。
【０１７５】
これら供給トナー量は、実験的に求めることができ、制御に期すことができる。
【０１７６】
また、上記実施例において、Ｙ、Ｍ、Ｃ、ＢＫの各色トナーの組成及び製造方法の詳細を割愛したが、これは、本発明がトナー製造方法や組成物に直接的に係わるものではなく、端的には、トナーの外添剤としての滑剤の添加量が着色剤によって異なることに着目し、組成が変わっても本発明に係わる技術的思想を達成した構成に基づく効果が維持されることに発明があると認識したが故である。
【図面の簡単な説明】
【０１７７】
【図１】本発明に係わるデジタルカラー複写機からなる画像形成装置の第１の実施の形態を示す概略図である。
【図２】操作パネルの模式的な平面図である。
【図３】本発明に係わる第２の実施の形態を説明するための模式的説明図である。
【図４】本発明に係わる第３の実施の形態を説明するためのフローチャートである。
【符号の説明】
【０１７８】
１  自動原稿送り装置
２  画像読み取り部
２５０  操作パネル
２５３  スイッチ手段（選択手段）
３  画像形成部
４０１  中間転写体（中間転写ベルト）
４５０  検出手段
５  給紙部
６  反転排紙・再給紙部
８  現像装置
【図１】
2005181372.tif 000004
【図２】
2005181372.tif 000005
【図３】
2005181372.tif 000006
【図４】
2005181372.tif 000007